(57)【特許請求の範囲】
【請求項１】
海水濃縮物を有効成分とする、微細粒子吸着防止剤（苦汁と稀土鉱石及び／又はトルマリン及び／又は長石とよりなる塗料を除く）。
【請求項２】
海水濃縮物が、ニガリである、請求項１に記載の微細粒子吸着防止剤（苦汁と稀土鉱石及び／又はトルマリン及び／又は長石とよりなる塗料を除く）。
【請求項３】
請求項１又は請求項２に記載の微細粒子吸着防止剤を、微細粒子吸着防止対象物に塗布又は噴霧して、微細粒子吸着防止対象物への微細粒子の吸着を防止する、微細粒子吸着防止方法。
【発明の詳細な説明】
【技術分野】
【０００１】
本発明は、微細粒子吸着防止剤に関する。
【背景技術】
【０００２】
近年、日本人の約１０人に１人、都会では５人に１人が花粉症にかかっているといわれ、いまや花粉症は国民病とまでいわれるほど患者が増えている。そのため花粉症治療剤等が数多く販売されているが、これといって画期的な効力を発揮するものはない。
【０００３】
一方、予防方法として、できるだけ花粉を遠ざける環境を維持する方法が挙げられ、例えば、外出から帰ったら衣服を払って、衣服に付着した花粉を落としてから家に入る、ふとんを干した後は、掃除機でふとんを吸引して花粉を吸い取る、等の方法で対処する、などが行われている。また特開２００３−２１３５４１号公報（特許文献１）では、衣服の織り方を工夫して、糸の総繊度、単糸繊度、隣接する糸同士の隙間、織物表面粗さ、摩擦帯電圧等を所定の範囲値にコントロールして、衣服への花粉の吸着を防止しようとする技術も提案されているが、この場合、上述した特定の織り方をした織物を使用しなければならならず、使用上での制限がある。
【０００４】
また特開２００６−２１４７号公報（特許文献２）には、特定の両性イオン基を有するモノマーユニット、および／または、特定のアニオン基を有するモノマーユニットを構成単位として含むポリマーが、花粉が毛髪や衣服等に吸着することを防止する作用・効果を有することが開示されている。しかしながら、両性イオン基を有するポリマーは皮膚に対する刺激が懸念され、より安全な微細粒子吸着防止剤が求められている。
【０００５】
さらに、近年、大気汚染の指標としてＰＭ２．５（微小粒子状物質）が着目されている。ＰＭ２．５は、大気中に浮遊している粒子径２．５μｍ以下の粒子である。ＰＭ２．５は、粒子径が非常に小さいため、肺の奥深くまで入りやすく、喘息や気管支炎などの呼吸器系疾患への影響、肺がんリスクの上昇、循環器系への影響等の健康への影響が懸念されている（非特許文献１）。
【０００６】
そこで、特開２０１５−１１７４５１号公報（特許文献３）には、ＰＭ２．５の付着を抑制できるＰＭ２．５付着防止用水性組成物、スプレー式ＰＭ２．５付着防止処理剤、およびＰＭ２．５付着防止処理方法として、特定のカチオン化合物が有用であることが開示されている。しかしながら、カチオン化合物は皮膚に対する刺激が懸念され、より安全な微細粒子吸着防止剤が求められている。
【先行技術文献】
【非特許文献】
【０００７】
【非特許文献１】環境省、“微小粒子状物質（ＰＭ２．５）に関する情報”、［ｏｎｌｉｎｅ］、［平成２７年９月１５日検索］、インターネット<URL: http://www.env.go.jp/air/osen/pm/info.html>
【特許文献】
【０００８】
【特許文献１】特開２００３−２１３５４１号公報
【特許文献２】特開２００６−２１４７号公報
【特許文献３】特開２０１５−１１７４５１号公報
【発明の概要】
【発明が解決しようとする課題】
【０００９】
両性イオン基を有するポリマーやカチオン化合物が、微粒子吸着防止効果を有することが知られている。しかしながら、両性イオン基を有するポリマーやカチオン化合物は、皮膚に対する刺激が懸念され、より安全な微細粒子吸着防止剤が求められている。
【課題を解決するための手段】
【００１０】
本発明者らは、かかる課題について鋭意検討した結果、海水濃縮物、特にニガリが、高い微細粒子吸着防止効果を発揮することを見出し、本発明を完成させた。
【００１１】
すなわち、本発明は海水濃縮物、特にニガリを有効成分とする、微細粒子吸着防止剤に関する。
【００１２】
また本発明は、海水濃縮物、特にニガリを有効成分とする、微細粒子吸着防止剤を、微細粒子吸着防止対象物に塗布・噴霧して、微細粒子吸着防止対象物への微細粒子の吸着を防止する、微細粒子吸着防止方法に関する。
【発明の効果】
【００１３】
本発明により、毛髪や皮膚、衣類等に塗布・噴霧することによって、これら毛髪や衣類等に対し、花粉やＰＭ２．５等の空中に浮遊する微細粒子の吸着を、簡便かつ安全に防止する微細粒子吸着防止剤が提供される。
【発明を実施するための形態】
【００１４】
以下本発明を実施するための形態を説明する。
【００１５】
海水濃縮物は、海水を濃縮して得られる。海水を濃縮する方法としては、特に制限されず、逆浸透圧膜を用いて濃縮する方法、加熱により濃縮する方法などが例示される。本発明の海水濃縮物は海水を濃縮したものをそのまま用いてもよいが、好ましくは海水濃縮物から塩化ナトリウムの濃度を低減したニガリを用いる。
【００１６】
本発明の微細粒子吸着防止剤の剤型は、スプレー、ローション等、任意の剤型とすることができ、特に限定されるものではないが、使用性等の点からスプレーとして用いることが好ましい。
【００１７】
また、エアゾールタイプのスプレーとして用いる場合、海水濃縮物を配合した原液を噴射剤とともにエアゾール容器に加圧封入する。噴射剤としてはプロパン、ブタン、及びイソブタンを主成分とする液化石油ガス（ＬＰＧ）、時メチルエーテル（ＤＭＥ）及び炭酸ガス、窒素ガス等の圧縮ガス等を単独で若しくは２種以上を併用して使用することができる。
【００１８】
本発明の微細粒子吸着防止剤において、海水濃縮物の配合量は０．００１〜２０質量％が好ましくより好ましくは０．００１〜１５質量％である。０．００１質量％未満の配合では微細粒子吸着防止効果が得られない場合がある。２０質量％を超えて配合しても、さらなる微細粒子吸着防止効果の向上が認められない場合があり、非効率的である。
【００１９】
本発明の微細粒子吸着防止剤には、本発明の効果を損なわない質的、量的範囲内で、必要に応じて、さらに、酸化防止剤、紫外線吸収剤、保湿剤、香料、防腐剤、界面活性剤、消臭剤、固着剤等を配合してもよい。
【００２０】
本発明の微細粒子吸着防止剤の使用方法としては、微細粒子の吸着を防止したい対象物（衣類、毛髪、皮膚）にあらかじめ噴霧しておくことにより、これら対象物への微細粒子の吸着を積極的に防止することができる。
【００２１】
また本発明の微細粒子吸着防止剤による微細粒子吸着防止効果は、洗浄時に容易に除去することができる。また、本発明の微細粒子吸着防止剤は、外用、経口での刺激や毒性が無く、安全性に優れる。
【００２２】
吸着を防止する微細粒子は、スギ、ヒノキ、ブタクサ等の花粉や、ＰＭ１０、浮遊粒子状物質、ＰＭ２．５、超微小粒子等の粒子状物質が例示されるが、これらに限定されるものではない。
【実施例】
【００２３】
以下、実施例により本発明を具体的に説明するが、これにより本発明の範囲が限定されるものではない。なお、配合量は特に指定しない限り質量％で記載した。
【００２４】
表１に示す処方にて、微細粒子吸着防止剤を調製し、微細粒子吸着防止効果を検証した。結果も合わせて示す。
【００２５】
【表１】
0006668025.tif 000002
【００２６】
［微細粒子吸着防止効果評価方法］
微細粒子の付きにくさと、落ちやすさの2項目で評価を行った
（１）前処理
実施例１、比較例１、２に、それぞれ人工皮革を６０秒間浸漬した後取り出し、これを室温で一晩静置して乾燥させたものを試料とした。
（２）付きにくさ試験
円柱型容器に疑似花粉（石松子）、試料片５枚を封入し、撹拌した。試料片を取り出し、判定標準写真により等級判定を行い、５枚の平均値を測定結果とした。
（３）落ちやすさ試験
付きにくさの試験後の試料片のうちで擬似花粉の付き方が平均的な3枚を選別し、２０ｃｍの高さから５回落下させ衝撃を与えた後、判定標準写真により等級判定を行い、３枚の平均値を測定結果とした。
（４）判定方法
１：非常に多くの付着が認められる（500個以上）
２：非常に多くの付着が認められる（250〜500個）
３：付着が認められる（150〜250個）
４：少し付着が認められる（50〜150個）
５：わずかに付着が認められる（0〜50個）
【００２７】
表１に示した通り、本発明の実施例は高い微細粒子付着防止効果並びに微細粒子除去効果を示していた。その効果は、従来より微細粒子付着防止効果が知られていたポリクオタニウム−５１を凌駕するものであった。
【００２８】
以下に本発明花粉吸着防止剤の処方例として実施例２、３を示す。
【００２９】
実施例２  ミストスプレー
海水濃縮物                                                            １．０
エタノール                                                          １０．０
精製水                                                                残  部
【００３０】
実施例３  ローション
海水濃縮物                                                            ０．５
エタノール                                                          ２０．０
精製水                                                                残  部